(57)【要約】【課題】情報処理装置に登録されている課金情報を個人単位で更新して課金を行えるようにした情報処理装置を提供する。【解決手段】情報処理装置の認証手段は、情報処理装置を操作する操作者を認証し、制御手段は、既に設定されている課金情報を複製し、前記認証手段によって認証された操作者に対する課金情報に更新するように制御し、課金処理手段は、前記制御手段によって更新された課金情報を用いて、前記操作者の操作による処理に対して課金処理を行う。【選択図】図１
2016157998.tif 000002
【特許請求の範囲】
【請求項１】
情報処理装置を操作する操作者を認証する認証手段と、
既に設定されている課金情報を複製し、前記認証手段によって認証された操作者に対する課金情報に更新するように制御する制御手段と、
前記制御手段によって更新された課金情報を用いて、前記操作者の操作による処理に対して課金処理を行う課金処理手段
を具備することを特徴とする情報処理装置。
【請求項２】
前記制御手段は、既に設定されている課金情報のうち、前記操作に関連する部分を複製し、前記認証手段によって認証された操作者に対する課金情報に更新するように制御する
ことを特徴とする請求項１に記載の情報処理装置。
【請求項３】
前記制御手段は、前記操作者の認証が解除された場合、該操作者用の課金情報を削除する
ことを特徴とする請求項１又は２に記載の情報処理装置。
【請求項４】
前記制御手段は、前記操作者の認証が解除された場合であって、該操作者の操作による処理が実行中でなければ、課金情報を削除する
ことを特徴とする請求項３に記載の情報処理装置。
【請求項５】
前記制御手段は、前記操作者の操作による処理が完了した場合であって、該操作者の認証中でなければ、課金情報を削除する
ことを特徴とする請求項３に記載の情報処理装置。
【請求項６】
コンピュータを、
情報処理装置を操作する操作者を認証する認証手段と、
既に設定されている課金情報を複製し、前記認証手段によって認証された操作者に対する課金情報に更新するように制御する制御手段と、
前記制御手段によって更新された課金情報を用いて、前記操作者の操作による処理に対して課金処理を行う課金処理手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、記録紙等の使用状況の推移、あるいはコピー／ファクシミリ／プリンタ／スキャナ等の使用状況について、ビジュアル的に表示することにより、記録紙を含めた資材管理、課金管理をユーザーやサービスマンが行いやすくなる機能を有するデジタル複合機を提供することを課題とし、コピー動作をカウントするコピー用カウンタ、プリント動作をカウントするプリンタ用カウンタ、スキャナ動作をカウントするスキャナ用カウンタ、ファクシミリ送信動作及びファクシミリ受信動作をカウントするファクシミリ関連カウンタから選ばれる複数のカウンタを不揮発メモリに記録するデジタル複合機において、前記カウンタのカウントに基づき所定期間毎の集計を行う集計手段と、前記集計手段における集計結果を記録するための区間カウントユニットを有する複数の集計カウンタと、前記集計カウンタに記録された集計結果を出力する出力手段とを有することが開示されている。
【先行技術文献】
【特許文献】
【０００３】
【特許文献１】特開２００３−２７４０７７号公報
【発明の概要】
【発明が解決しようとする課題】
【０００４】
近年、複合機などの情報処理装置において、プラグインによって追加した拡張機能の利用に対する課金は、その装置に予め登録されている課金テーブルを利用することが前提となっている。そのため、課金テーブルに定義されていない新たな機能（プラグインによって追加した機能）を実行する場合には、課金できないか、又は、その情報処理装置に予め登録されている課金テーブルで代用するなどしていた。
また、プラグインによる機能追加は、これまでのように情報処理装置（特に、画像処理装置）毎に行うデバイス単位からユーザー毎に行うユーザー単位へと変化している。このような情報処理装置のパーソナライズを行う場合、その情報処理装置を利用するユーザーに応じてプラグインが動的にインストールされ、その機能が利用されるので、課金を行う場合には、課金テーブルを個人単位で更新する必要がある。また、プラグインだけでなく、ユーザー毎に課金する際の単価等が異なるようにしたい場合がある。
しかし、従来の予め定義された課金テーブルでは、ユーザー毎に入れ替えると、例えば、バックグラウンドで処理している別のユーザーの課金に影響してしまう。
本発明は、情報処理装置に登録されている課金情報を個人単位で更新して課金を行えるようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、情報処理装置を操作する操作者を認証する認証手段と、既に設定されている課金情報を複製し、前記認証手段によって認証された操作者に対する課金情報に更新するように制御する制御手段と、前記制御手段によって更新された課金情報を用いて、前記操作者の操作による処理に対して課金処理を行う課金処理手段を具備することを特徴とする情報処理装置である。
【０００６】
請求項２の発明は、前記制御手段は、既に設定されている課金情報のうち、前記操作に関連する部分を複製し、前記認証手段によって認証された操作者に対する課金情報に更新するように制御することを特徴とする請求項１に記載の情報処理装置である。
【０００７】
請求項３の発明は、前記制御手段は、前記操作者の認証が解除された場合、該操作者用の課金情報を削除することを特徴とする請求項１又は２に記載の情報処理装置である。
【０００８】
請求項４の発明は、前記制御手段は、前記操作者の認証が解除された場合であって、該操作者の操作による処理が実行中でなければ、課金情報を削除することを特徴とする請求項３に記載の情報処理装置である。
【０００９】
請求項５の発明は、前記制御手段は、前記操作者の操作による処理が完了した場合であって、該操作者の認証中でなければ、課金情報を削除することを特徴とする請求項３に記載の情報処理装置である。
【００１０】
請求項６の発明は、コンピュータを、情報処理装置を操作する操作者を認証する認証手段と、既に設定されている課金情報を複製し、前記認証手段によって認証された操作者に対する課金情報に更新するように制御する制御手段と、前記制御手段によって更新された課金情報を用いて、前記操作者の操作による処理に対して課金処理を行う課金処理手段として機能させるための情報処理プログラムである。
【発明の効果】
【００１１】
請求項１の情報処理装置によれば、情報処理装置に登録されている課金情報を個人単位で更新して課金を行えるようにすることができる。
【００１２】
請求項２の情報処理装置によれば、複製の対象を、課金情報のうち、操作に関連する部分とすることができる。
【００１３】
請求項３の情報処理装置によれば、操作者の認証が解除された場合、その操作者用の課金情報を削除することができる。
【００１４】
請求項４の情報処理装置によれば、操作者の認証が解除された場合であって、その操作者の操作による処理が実行中でなければ、課金情報を削除することができる。
【００１５】
請求項５の情報処理装置によれば、操作者の操作による処理が完了した場合であって、その操作者の認証中でなければ、課金情報を削除することができる。
【００１６】
請求項６の情報処理プログラムによれば、情報処理装置に登録されている課金情報を個人単位で更新して課金を行えるようにすることができる。
【図面の簡単な説明】
【００１７】
【図１】本実施の形態の構成例についての概念的なモジュール構成図である。
【図２】本実施の形態を利用したシステム構成例を示す説明図である。
【図３】第１の実施の形態による処理例を示すフローチャートである。
【図４】第１の実施の形態による処理例を示す説明図である。
【図５】第２の実施の形態による処理例を示すフローチャートである。
【図６】第２の実施の形態による処理例を示す説明図である。
【図７】第３の実施の形態による処理例を示すフローチャートである。
【図８】第３の実施の形態による処理例を示す説明図である。
【図９】第４の実施の形態による処理例を示すフローチャートである。
【図１０】第４の実施の形態による処理例を示す説明図である。
【図１１】第５の実施の形態による処理例を示すフローチャートである。
【図１２】第６の実施の形態による処理例を示すフローチャートである。
【図１３】第７の実施の形態による処理例を示すフローチャートである。
【図１４】第８の実施の形態による処理例を示すフローチャートである。
【図１５】第９の実施の形態による処理例を示すフローチャートである。
【図１６】第１０の実施の形態による処理例を示すフローチャートである。
【図１７】第１１の実施の形態による処理例を示すフローチャートである。
【図１８】第１２の実施の形態による処理例を示すフローチャートである。
【図１９】本実施の形態を実現するコンピュータのハードウェア構成例を示すブロック図である。
【発明を実施するための形態】
【００１８】
まず、本実施の形態を説明する前に、その前提又は本実施の形態を利用する情報処理装置について説明する。なお、この説明は、本実施の形態の理解を容易にすることを目的とするものである。
情報処理装置は、コンピュータ・プログラムであるプラグインを追加することで、組み込まれている標準機能に加え、新しい機能を追加することができる。なお、ここで、情報処理装置には、画像処理装置（複写機、ファクシミリ、スキャナ、プリンタ、複合機（スキャナ、プリンタ、複写機、ファクシミリ等のいずれか２つ以上の機能を有している画像処理装置））やパーソナルコンピュータ、スマートフォン等の携帯端末を含む。
【００１９】
以下、図面に基づき本発明を実現するにあたっての好適な各種の実施の形態の例を説明する。
＜＜第１の実施の形態＞＞
図１は、本実施の形態の構成例についての概念的なモジュール構成図を示している。なお、第１の実施の形態〜第１２の実施の形態は、この図１の例に示すモジュール構成例を有しており、それぞれの処理内容が異なる。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２０】
本実施の形態である情報処理装置１００は、操作者の操作による処理に対して課金処理を行うものであって、図１の例に示すように、ユーザー認証制御モジュール１１０、課金テーブル管理モジュール１２０、ジョブ制御モジュール１３０、課金処理モジュール１４０、課金テーブル記憶モジュール１５０を有している。情報処理装置１００は、課金情報を個人単位で更新して課金を行い、また、複数人の処理が並列的（同時処理、バックグラウンド処理等を含む）に実行されても、制限を受けることなく課金を行えるようにしたものである。なお、情報処理装置１００は、複数人によって操作され得るものであって、常に、複数人によって操作されることまでは必要なく、その可能性があれば足りる。
課金情報は、課金処理を行うための基となる情報であって、例えば、機能の１単位毎の処理（複写機等での１枚の複写処理等）における金額等を規程した情報であって、具体的には、後述する課金テーブル４２０等が該当する。
【００２１】
ユーザー認証制御モジュール１１０は、課金テーブル管理モジュール１２０と接続されている。ユーザー認証制御モジュール１１０は、情報処理装置１００を操作する操作者（以下、ユーザーともいう）を認証する。ここでの認証は、課金情報を適用すべきユーザーを特定する処理であればよい。例えば、情報処理装置１００に備え付けられているカードリーダーによって、ユーザーが所持しているＩＣカード（そのユーザーを特定できるユーザーＩＤ（ＩＤｅｎｔｉｆｉｃａｔｉｏｎ）等を記憶しており、読み取り可能となっている）から認証を行ってもよいし、ユーザーＩＤとパスワードの入力から認証を行ってもよいし、指紋等の生体情報から認証を行ってもよい。ユーザーＩＤ等の認証結果を課金テーブル管理モジュール１２０に渡す。
【００２２】
課金テーブル管理モジュール１２０は、ユーザー認証制御モジュール１１０、課金テーブル記憶モジュール１５０と接続されている。課金テーブル管理モジュール１２０は、情報処理装置１００に既に設定されている課金情報を複製し、ユーザー認証制御モジュール１１０によって認証された操作者に対する課金情報に更新するように制御する。
また、課金テーブル管理モジュール１２０は、操作者の認証が解除された場合、その操作者用の課金情報を削除するようにしてもよい。
また、課金テーブル管理モジュール１２０は、操作者の認証が解除された場合であって、その操作者の操作による処理が実行中でなければ、課金情報を削除するようにしてもよい。この場合、処理が実行中であれば、課金情報は削除せず、その課金情報を用いて課金処理を行うようにしてもよい。
また、課金テーブル管理モジュール１２０は、操作者の操作による処理が完了した場合であって、その操作者の認証中でなければ、課金情報を削除するようにしてもよい。この場合、認証中であれば、課金情報は削除せず、その課金情報を用いて課金処理を行うようにしてもよい。
【００２３】
ジョブ制御モジュール１３０は、課金処理モジュール１４０と接続されている。ジョブ制御モジュール１３０は、操作者の操作によって行われる処理（以下、ジョブともいう）を制御する。処理として、例えば、前述の画像処理装置の場合は、プリントアウト、複写、スキャン、ファクシミリ等の処理が該当する。処理の状態（例えば、開始、処理中、処理終了等）を課金処理モジュール１４０に渡す。
課金処理モジュール１４０は、ジョブ制御モジュール１３０、課金テーブル記憶モジュール１５０と接続されている。課金処理モジュール１４０は、課金テーブル管理モジュール１２０によって更新された課金情報を用いて、操作者の操作による処理に対して課金処理を行う。なお、ここでの課金処理には、料金を算出するまでの処理を含むが、支払い等の処理を含めてもよいし、含めないでもよい。また、情報処理装置１００の使用量に応じた課金（従量制）であってもよいし、定額制等であってもよい。例えば、ユーザー毎に単価、固定額等が異なる。
課金テーブル記憶モジュール１５０は、課金テーブル管理モジュール１２０、課金処理モジュール１４０と接続されている。課金テーブル記憶モジュール１５０は、課金情報を記憶している。課金テーブル管理モジュール１２０、課金処理モジュール１４０からアクセスされ、
【００２４】
情報処理装置１００の処理として、例えば、ユーザー認証制御モジュール１１０で認証が成功した場合、課金テーブル管理モジュール１２０は、課金テーブルを複製、更新等の処理を行うことによって、認証されたユーザーの課金テーブルを生成する。そして、ジョブ制御モジュール１３０でジョブが行われると、課金処理モジュール１４０は、認証されたユーザーの課金テーブルを使って課金処理をする。
【００２５】
図２は、本実施の形態を利用したシステム構成例を示す説明図である。
情報処理装置１００Ａ、情報処理装置１００Ｂ、新機能管理装置２１０は、通信回線２９０を介してそれぞれ接続されている。通信回線２９０は、無線、有線、これらの組み合わせであってもよく、例えば、通信インフラとしてのインターネット、イントラネット等であってもよい。新機能管理装置２１０は、クラウドコンピューティング等によってサービスを提供するものであってもよい。ユーザーの操作によって、情報処理装置１００で処理が行われる。その際に、ユーザーの認証処理が行われ、そのユーザーが利用できる機能を実現するプログラムが、新機能管理装置２１０からインストールされる。このインストールされるプログラムは、情報処理装置１００が元々備えている機能以外の機能を実現するプログラムである場合は、課金処理に用いる課金情報も備えていないことが一般的である。情報処理装置１００は、そのためにユーザー毎に課金情報を生成して、行われた処理に応じた課金を行う。
【００２６】
図３は、第１の実施の形態による処理例を示すフローチャートである。図４は、第１の実施の形態による処理例を示す説明図である。図３の例に示すフローチャートの説明として、具体的に、図４の例に示す課金テーブルを用いて説明する。例えば、情報処理装置１００の組込み機能４００として、コピー４０２、スキャン４０４、プリント４０６、ファクシミリ送信４０８、機能１：４１０、機能２：４１２を有している。
ステップＳ３０２では、ユーザー認証制御モジュール１１０は、ユーザーに対して認証を行う。
ステップＳ３０４では、ユーザー認証制御モジュール１１０は、認証が成功したか否かを判断し、成功した場合はステップＳ３０６へ進み、それ以外の場合は処理を終了する（ステップＳ３９９）。
【００２７】
ステップＳ３０６では、課金テーブル管理モジュール１２０は、課金テーブル４２０全体を複製し、複製後の課金テーブル（複製先の課金テーブル４２０）を認証ユーザー用の課金テーブル４４０に書き換える。
課金テーブル４２０は、ジョブ名欄４２２、カラーモード欄４２４、用紙サイズ欄４２６、単価（円）欄４２８、単位欄４３０を有している。ジョブ名欄４２２は、情報処理装置１００におけるジョブ名（組込み機能４００の各機能に対応）を記憶している。カラーモード欄４２４は、そのジョブにおけるカラーモード（カラー、モノクロ（白黒）の別）を記憶している。用紙サイズ欄４２６は、そのジョブにおける用紙サイズを記憶している。単価（円）欄４２８は、そのカラーモード、用紙サイズにおける１ジョブの単価（円）を記憶している。単位欄４３０は、課金における単位を記憶している。課金テーブル４２０は、現在、情報処理装置１００で使用されている課金情報（一般的には通常の操作者を対象とした場合の課金情報）を表している。
認証ユーザー用の課金テーブル４４０は、ジョブ名欄４４２、カラーモード欄４４４、用紙サイズ欄４４６、単価（円）欄４４８、単位欄４５０を有している。認証ユーザー用の課金テーブル４４０は、課金テーブル４２０と同等のデータ構造を有している。ただし、図４の例では、認証ユーザー用の課金テーブル４４０の単価（円）欄４４８内の値が課金テーブル４２０の単価（円）欄４２８内の値と異なっている。
複製先の課金テーブル４２０を認証ユーザー用の課金テーブル４４０で置換する。認証ユーザー用の課金テーブル４４０が、認証されたユーザーに適用される課金テーブルとなる。
【００２８】
ステップＳ３０８では、ジョブ制御モジュール１３０は、ユーザーの操作に応じたジョブを実行する。
ステップＳ３１０では、課金処理モジュール１４０は、認証ユーザー用の課金テーブル４４０を使って課金処理を行う。具体的には、ジョブの種類（ジョブ名欄４４２）、そのジョブにおけるからモード（カラーモード欄４４４）、用紙サイズ（用紙サイズ欄４４６）から、単価（単価（円）欄４４８）を抽出し、単位（単位欄４５０）に基づく処理量を計数し、最終的な料金（単価×処理量（ページ数））を算出する。
ステップＳ３１２では、ユーザー認証制御モジュール１１０は、認証を解除する。
ステップＳ３１４では、課金テーブル管理モジュール１２０は、認証ユーザー用の課金テーブル４４０を削除する。認証ユーザー用の課金テーブル４４０を削除することによって、以後のジョブに適用される課金テーブルは課金テーブル４２０（ステップＳ３０６での複製元の課金テーブル４２０）となる。
なお、ステップＳ３０６とステップＳ３０８の処理順序は逆であってもよい。
【００２９】
＜＜第２の実施の形態＞＞
図５は、第２の実施の形態による処理例を示すフローチャートである。図３の例では、複製先の課金テーブルを認証ユーザー用の課金テーブルに置換したが、図５の例では複製元の課金テーブルを認証ユーザー用の課金テーブルに置換する。図６は、第２の実施の形態による処理例を示す説明図である。図５の例に示すフローチャートの説明として、具体的に、図６の例に示す課金テーブルを用いて説明する。例えば、情報処理装置１００の組込み機能４００として、コピー４０２、スキャン４０４、プリント４０６、ファクシミリ送信４０８、機能１：４１０、機能２：４１２を有している。
ステップＳ５０２では、ユーザー認証制御モジュール１１０は、ユーザーに対して認証を行う。
ステップＳ５０４では、ユーザー認証制御モジュール１１０は、認証が成功したか否かを判断し、成功した場合はステップＳ５０６へ進み、それ以外の場合は処理を終了する（ステップＳ５９９）。
【００３０】
ステップＳ５０６では、課金テーブル管理モジュール１２０は、課金テーブル全体を複製（複製後の課金テーブル６６０の生成）し、複製前の課金テーブル（複製元の課金テーブル４２０）を認証ユーザー用の課金テーブル６４０に書き換える。図６の例では、課金テーブル４２０と複製後の課金テーブル６６０は同じ内容である。そして、複製元の課金テーブル４２０を認証ユーザー用の課金テーブル６４０で置換する。認証ユーザー用の課金テーブル６４０が、認証されたユーザーに適用される課金テーブルとなる。
認証ユーザー用の課金テーブル６４０は、ジョブ名欄６４２、カラーモード欄６４４、用紙サイズ欄６４６、単価（円）欄６４８、単位欄６５０を有している。複製後の課金テーブル６６０は、ジョブ名欄６６２、カラーモード欄６６４、用紙サイズ欄６６６、単価（円）欄６６８、単位欄６７０を有している。認証ユーザー用の課金テーブル６４０、複製後の課金テーブル６６０は、課金テーブル４２０と同等のデータ構造を有している。ただし、図６の例では、認証ユーザー用の課金テーブル６４０の単価（円）欄６４８内の値が課金テーブル４２０の単価（円）欄４２８内の値（又は複製後の課金テーブル６６０の単価（円）欄６６８内の値）と異なっている。
【００３１】
ステップＳ５０８では、ジョブ制御モジュール１３０は、ユーザーの操作に応じたジョブを実行する。
ステップＳ５１０では、課金処理モジュール１４０は、認証ユーザー用の課金テーブル６４０を使って課金処理を行う。
ステップＳ５１２では、ユーザー認証制御モジュール１１０は、認証を解除する。
ステップＳ５１４では、課金テーブル管理モジュール１２０は、認証ユーザー用の課金テーブル６４０を削除する。
ステップＳ５１６では、課金テーブル管理モジュール１２０は、複製後の課金テーブル６６０を元の複製前の課金テーブル４２０にもどす。つまり、複製後の課金テーブル６６０を課金テーブル４２０とする。この処理によって、以後のジョブに適用される課金テーブルは課金テーブル４２０（ステップＳ５０６での複製先の複製後の課金テーブル６６０）となる。
ステップＳ５０６とステップＳ５０８の処理順序は逆であってもよい。
【００３２】
＜＜第３の実施の形態＞＞
図７は、第３の実施の形態による処理例を示すフローチャートである。第１の実施の形態による処理例では、課金テーブル全体を置換する処理を行っていたが、図７の例では、課金テーブルの一部の置換を行うものである。図７の例に示すフローチャートの説明として、具体的に、図８の例に示す課金テーブルを用いて説明する。
ステップＳ７０２では、ユーザー認証制御モジュール１１０は、ユーザーに対して認証を行う。
ステップＳ７０４では、ユーザー認証制御モジュール１１０は、認証が成功したか否かを判断し、成功した場合はステップＳ７０６へ進み、それ以外の場合は処理を終了する（ステップＳ７９９）。
【００３３】
ステップＳ７０６では、ジョブ制御モジュール１３０は、ユーザーの操作に応じたジョブを実行する。
ステップＳ７０８では、課金テーブル管理モジュール１２０は、課金テーブル４２０の中の上記ジョブ（実行されたジョブ）に関連する部分だけ（図８の例の対象部分８８０）を複製して、複製後の課金テーブル（課金テーブル４２０の対象部分８８０の部分（複製先））を認証ユーザー用の課金テーブル８４０に書き換える。認証ユーザー用の課金テーブル８４０は、ジョブ名欄８４２、カラーモード欄８４４、用紙サイズ欄８４６、単価（円）欄８４８、単位欄８５０を有している。認証ユーザー用の課金テーブル８４０は、課金テーブル４２０と同等のデータ構造を有している。実行されたジョブ（具体的には、コピー、カラー、用紙サイズ：Ａ４とＡ３のジョブ）に関連する対象部分８８０だけを複製して認証ユーザー用に書き換える。図８の例に示すように、認証ユーザー用の課金テーブル８４０は少なくとも実行されたジョブに関連するデータだけを有していればよいが、課金テーブル４２０と同等のデータを有していてもよい。ただし、図８の例では、認証ユーザー用の課金テーブル８４０の単価（円）欄８４８内の値が課金テーブル４２０の単価（円）欄４２８内の値と異なっている。具体的には、課金テーブル４２０では、ジョブ名：コピー、カラーモード：カラー、用紙サイズ：Ａ４の場合の単価が３０円であるのを、認証ユーザー用の課金テーブル８４０では２０円として、ジョブ名：コピー、カラーモード：カラー、用紙サイズ：Ａ３の場合の単価が４０円であるのを、認証ユーザー用の課金テーブル８４０では２０円とする。認証ユーザー用の課金テーブル８４０が、認証されたユーザーに適用される課金テーブルとなる。
ステップＳ７１０では、課金処理モジュール１４０は、認証ユーザー用の課金テーブル８４０を使って課金処理を行う。
ステップＳ７１２では、ユーザー認証制御モジュール１１０は、認証を解除する。
ステップＳ７１４では、課金テーブル管理モジュール１２０は、認証ユーザー用の課金テーブル８４０を削除する。認証ユーザー用の課金テーブル８４０を削除することによって、以後のジョブに適用される課金テーブルは課金テーブル４２０となる。
【００３４】
＜＜第４の実施の形態＞＞
図９は、第４の実施の形態による処理例を示すフローチャートである。第２の実施の形態による処理例では、課金テーブル全体を置換する処理を行っていたが、図９の例では、課金テーブルの一部の置換を行うものである。図９の例に示すフローチャートの説明として、具体的に、図１０の例に示す課金テーブルを用いて説明する。
図９は、第４の実施の形態による処理例を示すフローチャートである。
ステップＳ９０２では、ユーザー認証制御モジュール１１０は、ユーザーに対して認証を行う。
ステップＳ９０４では、ユーザー認証制御モジュール１１０は、認証が成功したか否かを判断し、成功した場合はステップＳ９０６へ進み、それ以外の場合は処理を終了する（ステップＳ９９９）。
【００３５】
ステップＳ９０６では、ジョブ制御モジュール１３０は、ユーザーの操作に応じたジョブを実行する。
ステップＳ９０８では、課金テーブル管理モジュール１２０は、課金テーブルの中の上記ジョブ（実行されたジョブ）に関連する部分だけ（図１０の例の対象部分１０８０の部分）を複製して（複製後の課金テーブル１０６０を生成して）、複製前の課金テーブル４２０を認証ユーザー用の課金テーブル１０４０に書き換える。認証ユーザー用の課金テーブル１０４０は、ジョブ名欄１０４２、カラーモード欄１０４４、用紙サイズ欄１０４６、単価（円）欄１０４８、単位欄１０５０を有している。複製後の課金テーブル１０６０は、ジョブ名欄１０６２、カラーモード欄１０６４、用紙サイズ欄１０６６、単価（円）欄１０６８、単位欄１０７０を有している。認証ユーザー用の課金テーブル１０４０、複製後の課金テーブル１０６０は、課金テーブル４２０と同等のデータ構造を有している。課金テーブル４２０の対象部分１０８０を対象部分１０８２に書き換えて、認証ユーザー用の課金テーブル１０４０とする。他の部分は課金テーブル４２０のままである。実行されたジョブ（具体的には、コピー、カラー、用紙サイズ：Ａ４とＡ３のジョブ）に関連する対象部分１０８０だけを複製して認証ユーザー用に書き換える。具体的には、課金テーブル４２０では、ジョブ名：コピー、カラーモード：カラー、用紙サイズ：Ａ４の場合の単価が３０円であるのを、認証ユーザー用の課金テーブル１０４０では２０円として、ジョブ名：コピー、カラーモード：カラー、用紙サイズ：Ａ３の場合の単価が４０円であるのを、認証ユーザー用の課金テーブル１０４０では２０円とする。
ステップＳ９１０では、課金処理モジュール１４０は、認証ユーザー用の課金テーブル１０４０を使って課金処理を行う。
ステップＳ９１２では、ユーザー認証制御モジュール１１０は、認証を解除する。
ステップＳ９１４では、課金テーブル管理モジュール１２０は、複製後の課金テーブルの部分（複製後の課金テーブル１０６０）を認証ユーザー用の課金テーブルの対応する部分（認証ユーザー用の課金テーブル１０４０の対象部分１０８２）に書きもどして、元の課金テーブルを復元する。つまり、認証ユーザー用の課金テーブル１０４０から課金テーブル４２０を生成する。
ステップＳ９１６では、課金テーブル管理モジュール１２０は、複製後の課金テーブルの部分を削除する。
【００３６】
＜＜第５の実施の形態＞＞
図１１は、第５の実施の形態による処理例を示すフローチャートである。第５の実施の形態では、ジョブ実行中に認証が解除された場合の処理例を示している。
ステップＳ１１０２では、ユーザー認証制御モジュール１１０は、ユーザーに対して認証を行う。
ステップＳ１１０４では、ユーザー認証制御モジュール１１０は、認証が成功したか否かを判断し、成功した場合はステップＳ１１０６へ進み、それ以外の場合は処理を終了する（ステップＳ１１９９）。
【００３７】
ステップＳ１１０６では、課金テーブル管理モジュール１２０は、課金テーブルから認証ユーザー用の課金テーブルを生成する。
ステップＳ１１０８では、ジョブ制御モジュール１３０は、ユーザーの操作に応じたジョブを実行する。
ステップＳ１１１０では、課金処理モジュール１４０は、認証ユーザー用の課金テーブルを使って課金処理を行う。
ステップＳ１１１２では、ユーザー認証制御モジュール１１０は、認証を解除する。
ステップＳ１１１４では、ジョブ制御モジュール１３０は、認証ユーザーのジョブが残っているか否かを判断し、残っている場合は処理を終了し（ステップＳ１１９９）、それ以外の場合はステップＳ１１１６へ進む。
ステップＳ１１１６では、課金テーブル管理モジュール１２０は、認証ユーザー用の課金テーブルを削除する。
なお、ステップＳ１１０６での処理は、前述の第１の実施の形態〜第４の実施の形態のいずれの方法で認証ユーザー用の課金テーブルを生成してもよい。以下、同様である。
【００３８】
＜＜第６の実施の形態＞＞
図１２は、第６の実施の形態による処理例を示すフローチャートである。第６の実施の形態では、ジョブ実行中に認証が解除され、その認証の解除後にジョブが終了した場合の処理例を示している。
ステップＳ１２０２では、ユーザー認証制御モジュール１１０は、ユーザーに対して認証を行う。
ステップＳ１２０４では、ユーザー認証制御モジュール１１０は、認証が成功したか否かを判断し、成功した場合はステップＳ１２０６へ進み、それ以外の場合は処理を終了する（ステップＳ１２９９）。
【００３９】
ステップＳ１２０６では、課金テーブル管理モジュール１２０は、課金テーブルから認証ユーザー用の課金テーブルを生成する。
ステップＳ１２０８では、ジョブ制御モジュール１３０は、ユーザーの操作に応じたジョブを実行する。
ステップＳ１２１０では、課金処理モジュール１４０は、認証ユーザー用の課金テーブルを使って課金処理を行う。
ステップＳ１２１２では、ジョブ制御モジュール１３０は、ジョブを終了する。
ステップＳ１２１４では、ユーザー認証制御モジュール１１０は、当該ユーザーが認証中か否かを判断し、認証中である場合は処理を終了し（ステップＳ１２９９）、それ以外の場合はステップＳ１２１６へ進む。
ステップＳ１２１６では、課金テーブル管理モジュール１２０は、認証ユーザー用の課金テーブルを削除する。
【００４０】
＜＜第７の実施の形態＞＞
図１３は、第７の実施の形態による処理例を示すフローチャートである。第７の実施の形態では、課金テーブルのための記憶領域が不足して使えなくなるまでユーザーの課金テーブルは削除しないようにした処理例を示している。
ステップＳ１３０２では、ユーザー認証制御モジュール１１０は、ユーザーに対して認証を行う。
ステップＳ１３０４では、ユーザー認証制御モジュール１１０は、認証が成功したか否かを判断し、成功した場合はステップＳ１３０６へ進み、それ以外の場合は処理を終了する（ステップＳ１３９９）。
【００４１】
ステップＳ１３０６では、課金テーブル管理モジュール１２０は、記憶領域の残容量を確認する。
ステップＳ１３０８では、課金テーブル管理モジュール１２０は、残容量があるか否かを判断し、ある場合はステップＳ１３１２へ進み、それ以外の場合はステップＳ１３１０へ進む。
ステップＳ１３１０では、課金テーブル管理モジュール１２０は、一番古い認証ユーザー用の課金テーブルを削除する。
ステップＳ１３１２では、課金テーブル管理モジュール１２０は、課金テーブルから認証ユーザー用の課金テーブルを生成する。
ステップＳ１３１４では、ユーザー認証制御モジュール１１０は、認証を解除する。
なお、ステップＳ１３１０の処理では、認証ユーザー用の課金テーブルを削除する条件として、さらに（１）その認証ユーザー用の課金テーブルを用いたジョブが終了していること、（２）その認証ユーザー用の課金テーブルを用いたユーザーの認証が解除されていること、のいずれか又はこれらの組み合わせを追加してもよい。
【００４２】
＜＜第８の実施の形態＞＞
図１４は、第８の実施の形態による処理例を示すフローチャートである。第８の実施の形態では、ジョブ実行中に、同一ユーザーが再度認証してジョブを実行する処理例を示している。
ステップＳ１４０２では、ユーザー認証制御モジュール１１０は、ユーザーＡを認証する。
ステップＳ１４０４では、課金テーブル管理モジュール１２０は、課金テーブルから認証ユーザーＡ用の課金テーブルを生成する。
ステップＳ１４０６では、ジョブ制御モジュール１３０は、ユーザーの操作に応じたジョブを実行する。
ステップＳ１４０８では、ユーザー認証制御モジュール１１０は、ジョブ実行中に認証を解除する。
【００４３】
ステップＳ１４１０では、ユーザー認証制御モジュール１１０は、ユーザーＡを認証する。
ステップＳ１４１２では、課金テーブル管理モジュール１２０は、ユーザーＡの課金テーブルがあるかを確認する。
ステップＳ１４１４では、課金テーブル管理モジュール１２０は、課金テーブルがあるか否かを判断し、ある場合はステップＳ１４１６へ進み、それ以外の場合はステップＳ１４１８へ進む。
ステップＳ１４１６では、課金テーブル管理モジュール１２０は、ユーザーＡ用の課金テーブルをそのまま使用する。
ステップＳ１４１８では、課金テーブル管理モジュール１２０は、課金テーブルから認証ユーザーＡ用の課金テーブルを生成する。
ステップＳ１４２０では、ジョブ制御モジュール１３０は、ユーザーの操作に応じたジョブを実行する。
ステップＳ１４２２では、ユーザー認証制御モジュール１１０は、認証を解除する。
【００４４】
＜＜第９の実施の形態＞＞
図１５は、第９の実施の形態による処理例を示すフローチャートである。第９の実施の形態では、ジョブ実行中に、別のユーザーが認証してジョブを実行する処理例を示している。
ステップＳ１５０２では、ユーザー認証制御モジュール１１０は、ユーザーＡを認証する。
ステップＳ１５０４では、課金テーブル管理モジュール１２０は、課金テーブルから認証ユーザーＡ用の課金テーブルを生成する。
ステップＳ１５０６では、ジョブ制御モジュール１３０は、ユーザーの操作に応じたジョブを実行する。
ステップＳ１５０８では、ユーザー認証制御モジュール１１０は、ジョブ実行中に認証を解除する。
【００４５】
ステップＳ１５１０では、ユーザー認証制御モジュール１１０は、ユーザーＢを認証する。
ステップＳ１５１２では、課金テーブル管理モジュール１２０は、ユーザーＢの課金テーブルがあるかを確認する。
ステップＳ１５１４では、課金テーブル管理モジュール１２０は、課金テーブルがあるか否かを判断し、ある場合はステップＳ１５１６へ進み、それ以外の場合はステップＳ１５１８へ進む。
ステップＳ１５１６では、課金テーブル管理モジュール１２０は、ユーザーＢ用の課金テーブルをそのまま使用する。
ステップＳ１５１８では、課金テーブル管理モジュール１２０は、課金テーブルから認証ユーザーＢ用の課金テーブルを生成する。
ステップＳ１５２０では、ジョブ制御モジュール１３０は、ユーザーの操作に応じたジョブを実行する。
ステップＳ１５２２では、ユーザー認証制御モジュール１１０は、認証を解除する。
【００４６】
＜＜第１０の実施の形態＞＞
図１６は、第１０の実施の形態による処理例を示すフローチャートである。第１０の実施の形態では、時刻（年、月、日、時、分、秒、秒以下、又はこれらの組み合わせであってもよい）指定のジョブを実行する処理例（１）を示している。
ステップＳ１６０２では、ジョブ制御モジュール１３０は、ユーザーＡの操作に応じて、時刻指定ジョブを実行指示する。
ステップＳ１６０４では、ジョブ制御モジュール１３０は、指定の時刻まで待つ。
ステップＳ１６０６では、課金テーブル管理モジュール１２０は、課金テーブルから認証ユーザーＡ用の課金テーブルを生成する。
ステップＳ１６０８では、ジョブ制御モジュール１３０は、ジョブを実行する。
【００４７】
ステップＳ１６１０では、課金処理モジュール１４０は、ユーザーＡ用の課金テーブルを使って課金処理を行う。
ステップＳ１６１２では、課金テーブル管理モジュール１２０は、ユーザーＡ用の課金テーブルを削除する。
つまり、ステップＳ１６０４での待機状態で、ユーザーＡ以外のユーザーが使用した場合であっても、ユーザーＡのジョブを実行する場合は、ユーザーＡ用の課金テーブルを用いることとなる。
【００４８】
＜＜第１１の実施の形態＞＞
図１７は、第１１の実施の形態による処理例を示すフローチャートである。第１１の実施の形態では、時刻指定のジョブを実行する処理例（２）を示している。
ステップＳ１７０２では、ジョブ制御モジュール１３０は、ユーザーの操作に応じて、時刻指定ジョブを実行指示する。
ステップＳ１７０４では、課金テーブル管理モジュール１２０は、課金テーブルから認証ユーザーＡ用の課金テーブルを生成する。
ステップＳ１７０６では、ジョブ制御モジュール１３０は、指定の時刻まで待機する。
ステップＳ１７０８では、ジョブを実行する。
【００４９】
ステップＳ１７１０では、課金処理モジュール１４０は、ユーザーＡ用の課金テーブルを使って課金処理を行う。
ステップＳ１７１２では、課金テーブル管理モジュール１２０は、ユーザーＡ用の課金テーブルを削除する。
【００５０】
＜＜第１２の実施の形態＞＞
図１８は、第１２の実施の形態による処理例を示すフローチャートである。第１２の実施の形態では、時刻指定のジョブを実行する処理例（３）を示している。
ステップＳ１８０２では、ジョブ制御モジュール１３０は、ユーザーの操作に応じて、時刻指定ジョブを実行指示する。
ステップＳ１８０４では、課金テーブル管理モジュール１２０は、課金テーブルから認証ユーザーＡ用の課金テーブルを生成する。
ステップＳ１８０６では、ジョブ制御モジュール１３０は、指定の時刻まで待機する。
ステップＳ１８０８では、課金テーブル管理モジュール１２０は、その時刻の課金テーブルに更新する。
【００５１】
ステップＳ１８１０では、課金テーブル管理モジュール１２０は、ユーザーＡ用に課金テーブル更新を通知する。
ステップＳ１８１２では、ジョブ制御モジュール１３０は、時刻指定ジョブを実行する。
ステップＳ１８１４では、課金処理モジュール１４０は、ユーザーＡ用の課金テーブルを使って課金処理を行う。
ステップＳ１８１６では、課金テーブル管理モジュール１２０は、ユーザーＡ用の課金テーブルを削除する。
例えば、通知として、ユーザーＡ宛てに「ユーザーＡ用の課金を行ってジョブを実行する」旨の電子メールの送信を行ってもよい。さらに、ユーザーＡによる許可の指示があった場合に、ステップＳ１８１２以降の処理を行うようにしてもよい。
ユーザーＡから不許可の指示があった場合は、ステップＳ１８１２以降の処理を行わずに終了するようにしてもよい（ステップＳ１８９９）。
なお、通知内容として、適用される課金テーブルの内容（ｅｘ．「カラーのプリント処理を３０円／ページで行います」等）を含めるようにしてもよい。時刻指定ジョブを指示した時点と課金を行う時点で、単価等が異なった場合に、ジョブ実行の可否についてユーザーが判断できるようにするためである。
【００５２】
図１９を参照して、本実施の形態の情報処理装置のハードウェア構成例について説明する。図１９に示す構成は、例えばパーソナルコンピュータ（ＰＣ）等によって構成されるものであり、スキャナ等のデータ読み取り部１９１７と、プリンタ等のデータ出力部１９１８を備えたハードウェア構成例を示している。
【００５３】
ＣＰＵ（Ｃｅｎｔｒａｌ  Ｐｒｏｃｅｓｓｉｎｇ  Ｕｎｉｔ）１９０１は、前述の実施の形態において説明した各種のモジュール、すなわち、ユーザー認証制御モジュール１１０、課金テーブル管理モジュール１２０、ジョブ制御モジュール１３０、課金処理モジュール１４０等の各モジュールの実行シーケンスを記述したコンピュータ・プログラムにしたがった処理を実行する制御部である。
【００５４】
ＲＯＭ（Ｒｅａｄ  Ｏｎｌｙ  Ｍｅｍｏｒｙ）１９０２は、ＣＰＵ１９０１が使用するプログラムや演算パラメータ等を格納する。ＲＡＭ（Ｒａｎｄｏｍ  Ａｃｃｅｓｓ  Ｍｅｍｏｒｙ）１９０３は、ＣＰＵ１９０１の実行において使用するプログラムや、その実行において適宜変化するパラメータ等を格納する。これらはＣＰＵバス等から構成されるホストバス１９０４により相互に接続されている。
【００５５】
ホストバス１９０４は、ブリッジ１９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１９０６に接続されている。
【００５６】
キーボード１９０８、マウス等のポインティングデバイス１９０９は、操作者により操作される入力デバイスである。ディスプレイ１９１０は、液晶表示装置又はＣＲＴ（Ｃａｔｈｏｄｅ  Ｒａｙ  Ｔｕｂｅ）等があり、各種情報をテキストやイメージ情報として表示する。
【００５７】
ＨＤＤ（Ｈａｒｄ  Ｄｉｓｋ  Ｄｒｉｖｅ）１９１１は、ハードディスクを内蔵し、ハードディスクを駆動し、ＣＰＵ１９０１によって実行するプログラムや情報を記録又は再生させる。ハードディスクには、ハードディスクは、課金テーブル記憶モジュール１５０等としての機能を実現させる。さらに、その他の各種データ、各種コンピュータ・プログラム等が格納される。
【００５８】
ドライブ１９１２は、装着されている磁気ディスク、光ディスク、光磁気ディスク、又は半導体メモリ等のリムーバブル記録媒体１９１３に記録されているデータ又はプログラムを読み出して、そのデータ又はプログラムを、インタフェース１９０７、外部バス１９０６、ブリッジ１９０５、及びホストバス１９０４を介して接続されているＲＡＭ１９０３に供給する。リムーバブル記録媒体１９１３も、ハードディスクと同様のデータ記録領域として利用可能である。
【００５９】
接続ポート１９１４は、外部接続機器１９１５を接続するポートであり、ＵＳＢ、ＩＥＥＥ１３９４等の接続部を持つ。接続ポート１９１４は、インタフェース１９０７、及び外部バス１９０６、ブリッジ１９０５、ホストバス１９０４等を介してＣＰＵ１９０１等に接続されている。通信部１９１６は、通信回線に接続され、外部とのデータ通信処理を実行する。データ読み取り部１９１７は、例えばスキャナであり、ドキュメントの読み取り処理を実行する。データ出力部１９１８は、例えばプリンタであり、ドキュメントデータの出力処理を実行する。
【００６０】
なお、図１９に示す情報処理装置のハードウェア構成は、１つの構成例を示すものであり、本実施の形態は、図１９に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１９に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、複写機、ファクシミリ、スキャナ、プリンタ、複合機などに組み込まれていてもよい。
【００６１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６２】
１００…情報処理装置
１１０…ユーザー認証制御モジュール
１２０…課金テーブル管理モジュール
１３０…ジョブ制御モジュール
１４０…課金処理モジュール
１５０…課金テーブル記憶モジュール
２１０…新機能管理装置
２９０…通信回線
【図１】
2016157998.tif 000003
【図２】
2016157998.tif 000004
【図３】
2016157998.tif 000005
【図４】
2016157998.tif 000006
【図５】
2016157998.tif 000007
【図６】
2016157998.tif 000008
【図７】
2016157998.tif 000009
【図８】
2016157998.tif 000010
【図９】
2016157998.tif 000011
【図１０】
2016157998.tif 000012
【図１１】
2016157998.tif 000013
【図１２】
2016157998.tif 000014
【図１３】
2016157998.tif 000015
【図１４】
2016157998.tif 000016
【図１５】
2016157998.tif 000017
【図１６】
2016157998.tif 000018
【図１７】
2016157998.tif 000019
【図１８】
2016157998.tif 000020
【図１９】
2016157998.tif 000021